(57)【要約】【課題】多重化装置において、複数の入力された信号を多重する際に、データストリームを欠損することなく多重すること。【解決手段】本発明の多重化装置は信号入出力部、データ保存部、制御部、受信データ処理部からなり、入力バッファと出力バッファ、データバッファ、多重化制御部、データ受信部とデータ解析部とデータ変換部とを備えている。  データ受信部では送出用データＩＤ０を受信し、データ解析部では送出用データＩＤ０の解析をする。データ変換部では送出用データＩＤ０をデータ解析部での解析結果を用いてデータストリームに復元し、データバッファに保存させる。  多重化制御部は周期的に出力バッファからバッファ残量を取得し、そのバッファ残量を最大限として、データ解析部の解析結果に基づいてデータバッファのデータを出力バッファに転送し、データストリームを欠損することなく多重化する。【選択図】図１
2007336029.tif 000002
【特許請求の範囲】
【請求項１】
複数の入力信号とデータ放送用データを多重して出力する多重化装置において、
前記複数の入力信号を受信する信号入出力部と、前記データ放送用データを受信するデータ処理部と、前記データ処理部から出力されるデータを保存するデータ保存部と、前記信号入力部が受信する前記複数の入力信号と前記データ部の保存している前記データ放送用データを多重する多重制御部と、前記多重制御部で多重する入力信号を保存する信号出力部とを備えたことを特徴とする多重化装置。
【請求項２】
前記データ処理部は、前記データ放送用データのセクション形式のデータ部と送出帯域とパケット識別子とを解析し、前記データ部をデータ放送用のデータストリームに変換して前記データ保存部に保存させることを特徴とする請求項１記載の多重化装置。
【請求項３】
前記データ処理部は、前記データ放送用データのセクション形式のデータ部と送出帯域とパケット識別子とを解析し、前記送出帯域を取得して前記多重制御部に出力することを特徴とする請求項１記載の多重化装置。
【請求項４】
前記多重制御部は、前記信号出力部から前記多重した入力信号の合計帯域を取得し、データ処理部からデータ放送サービス用のデータストリームの前記送出帯域を取得し、それぞれの送出帯域からデータ放送サービス用のデータストリームを多重する帯域を決定して、データ放送サービス用のデータストリームを多重することを特徴とする請求項２記載の多重化装置。
【発明の詳細な説明】
【技術分野】
【０００１】
本発明は、複数の入力信号を多重する多重化装置に関するもので、特にＣＡＴＶなどのデジタル多チャンネル放送システムにおいてデータ放送を多重するような多重化装置に関するものである。
【背景技術】
【０００２】
ＣＡＴＶなどのデジタル多チャンネル放送システムにおいて、多重化装置は同時に入力された複数のＭＰＥＧ２で定義されているＴｒａｎｓｐｏｒｔ  Ｓｔｒｅａｍ信号（以下ＭＰＥＧ２−ＴＳ信号）を１つのＭＰＥＧ２−ＴＳ信号に多重しており、データ放送やＥＰＧ、ソフトウェアダウンロードなどの機能を実現している。
【０００３】
以下、図面を用いて従来の多重化装置の一例について説明する。図６は従来の多重化装置の一例を示すブロック図である（例えば、特許文献１参照）。
【０００４】
図６において、複数のＭＰＥＧ２−ＴＳ信号ＩＳ１〜ＩＳ３がデジタルテレビサービス／デジタルラジオサービス用の信号で、送出用データＩＤ１がデータ放送サービス用の信号であって、それぞれの信号が入力バッファ６１１−１〜入力バッファ６１１−３、入力バッファ６１３に入力されるとき、多重化制御部６３１は入力バッファごとに設定された優先順位に従って、入力バッファ６１１−１〜入力バッファ６１１−３、入力バッファ６１３のデータを出力バッファ６１２へ転送して多重する。出力バッファ６１２に転送されたデータは出力バッファ６１２内で他の入力バッファから入力されたデータと多重され、多重化装置６００からＭＰＥＧ２−ＴＳ信号ＯＳ０として送出される。
【０００５】
なお、入力バッファ６１１−１〜入力バッファ６１１―３、入力バッファ６１３の全てのデータを出力バッファ６１２に転送しても多重化装置６００の送出帯域に余裕がある場合、多重化制御部６３１はＮＵＬＬパケットバッファ６２２からＮＵＬＬパケットを出力バッファ６１２に転送し、多重化装置６００の送出帯域を調整する。また、いずれかの入力バッファ内のデータを全て転送しきらないうちに出力バッファ６１２がオーバーフローしてしまった場合、多重化制御部６３１は当該入力バッファ内のデータの処理を次回の処理まで持ち越す。
【０００６】
このとき、複数のＭＰＥＧ２−ＴＳ信号ＩＳ１〜ＩＳ３と送出用データＩＤ１の合計帯域が多重化装置の送出するＭＰＥＧ２−ＴＳ信号ＯＳ０の送出帯域よりも大きい場合、入力バッファ６１１−１〜入力バッファ６１１−３、入力バッファ６１３ではオーバーフローが発生し、新規にデータを受信できない。
【０００７】
この問題を改善するために、従来の多重化装置６００では、入力バッファ６１３で受信した送出用データＩＤ１の特徴を検出し、多重化装置内で最適化した状態にしてから多重して、入力データを極力破棄することなく多重するようにしていた。
【特許文献１】特開２００１−３２４０８７号公報
【発明の開示】
【発明が解決しようとする課題】
【０００８】
しかしながら、前記従来の構成では、複数のＭＰＥＧ２−ＴＳ信号ＩＳ１〜ＩＳ３の帯域によっては送出用データＩＤ１を受信後に最適化して多重してもやはりデータを破棄せざるを得ない可能性がある。
【０００９】
本発明は、前記従来の課題を解決するもので、複数のＭＰＥＧ２−ＴＳ信号ＩＳ１〜ＩＳ３と送出用データＩＤ１の合計帯域が多重化装置の送出するＭＰＥＧ２−ＴＳ信号ＯＳ０の送出帯域よりも大きい状態が断続的に発生するような状態においても送出用データＩＤ１のデータを破棄せずに送出することを目的とする多重化装置である。
【課題を解決するための手段】
【００１０】
前記従来の問題を解決するために、本発明の多重化装置（図１）は、入力ストリームＩＳ１〜ＩＳ３を受信して保存するための入力バッファ１１１−１〜１１１−３と、送出用データＩＤ０と、送出用データＩＤ０を受信するデータ受信部１４１と、受信した送出用データＩＤ０をデータ部２５１と送出パラメータ部２５２に分離するデータ解析部１４２と、データ部２５１と送出パラメータ部２５２からデータストリーム２５５を作成するデータ変換部１４３と、データストリーム２５５を保持するデータバッファ部１２１とを備え、多重化制御部１３１は入力バッファ内のデータを周期的に出力バッファへ転送する。また、多重化制御部１３１は入力バッファ内のデータを出力バッファ１１２へ転送後、出力バッファ１１２の状態に応じてデータバッファ１２１から出力バッファ１１２へデータを転送する。多重化制御部１３１は出力バッファ１１２に十分な空きが無い場合には何も行わず、空きが出来た時点でデータバッファ１２１から出力バッファ１１２へデータの転送処理を行ことにより、データストリーム２５５を破棄することなく送出する。
【発明の効果】
【００１１】
本発明の多重化装置を用いることによって、例えばＣＡＴＶなどのデジタル多チャンネル放送システムにおいて、複数のＭＰＥＧ２−ＴＳ信号ＩＳ１〜ＩＳ３をデジタルテレビサービス／デジタルラジオサービス用の信号とした場合に、これらのリアルタイムにデータを転送しなければならないサービスに対して影響を与えないように送出用データＩＤ０を破棄することなく送出し、複数のＭＰＥＧ２−ＴＳ信号ＩＳ１〜ＩＳ３の合計帯域が多重化装置の送出するＭＰＥＧ２−ＴＳ信号ＯＳ０の送出帯域を超えた場合にもユーザーが放送サービスを使用する際に与える悪影響を最小限に止めることが可能となる。
【発明を実施するための最良の形態】
【００１２】
以下、本発明を実施するための最良の形態について、図面を参照しながら説明する。
【００１３】
（実施の形態１）
図１は、本発明の実施の形態１における多重化装置のブロック図である。
【００１４】
この本発明の実施の形態１においては、多重化装置１００は入力ストリームとして少なくとも一つ以上のデジタルテレビサービス、またはデジタルラジオサービスを含むＭＰＥＧ２−ＴＳ信号があり、また、送出用データとして周期的に送出するデータ放送用サービスのデータストリームを多重化装置内部に保持してすることが可能であり、入力ストリームとは非同期に外部から設定されることにより、データ放送用サービスのデータストリームを破棄することなくこれらを多重して送出する。
【００１５】
多重化装置１００は、信号入出力部１１０と、データ保存部１２０と、制御部１３０と、データ処理部１４０とで構成されている。そして、信号入出力部１１０は入力バッファ１１１−１〜１１１−３と、出力バッファ１１２を備えている。データ保存部１２０はデータバッファ１２１と、ＮＵＬＬパケットバッファ１２２を備えている。制御部１３０は多重化制御部１３１を備えている。データ処理部１４０はデータ受信部１４１と、データ解析部１４２と、データ変換部１４３を備えている。
【００１６】
信号入出力部１１０は、外部のＭＰＥＧ２−ＴＳ信号送出機器から入力した複数のＭＰＥＧ２−ＴＳ信号ＩＳ１〜ＩＳ３とデータ保存部１２０から受信したデータを多重した後、ＭＰＥＧ２−ＴＳ信号にして変調器へ送出する。
【００１７】
データ処理部１４０は、データ放送用サービスのデータストリームを多重化装置が生成するのに必要なデータを受信する。データ処理部１４０は、外部の機器から受信したデータを解析し、ＴＳＰ（Ｔｒａｎｓｐｏｒｔ  Ｓｔｒｅａｍ  Ｐａｃｋｅｔ）形式のデータ放送用サービスのデータストリームに変換し、データ保存部１２０に保存させる。
【００１８】
データ保存部１２０は、データ受信部１４０によって変換されたＴＳＰ形式のデータを入力し、保存する。そして、多重化制御部１３０の指示により、保持しているデータを多重化制御部１３０にデータ転送する。
【００１９】
制御部１３０は、出力バッファ１１２の空き容量を確認して、送出可能な帯域分のデータとして信号入出力部１１０から入力した複数のＭＰＥＧ２−ＴＳ信号ＩＳ１〜ＩＳ３とデータ保存部１２０から入力したデータを信号入出力部１１０で多重するように転送する。
【００２０】
ここで、信号入出力部１１０と、データ保存部１２０と、制御部１３０と、データ処理部１４０が備えた詳細な構成について説明する。
【００２１】
入力バッファ１１１−１〜１１１−３は、外部のＭＰＥＧ２−ＴＳ信号送出機器から出力されたそれぞれ対応する複数のＭＰＥＧ２−ＴＳ信号ＩＳ１〜ＩＳ３を受信して、入力バッファ１１１−１〜１１１−３内にＴＳＰ形式のデータに変換して保存する。そして、多重化制御部１３１の指示があると、多重化制御部１３１へ保存したデータを転送する。
【００２２】
データ受信部１４１は、外部の機器から送られてきた送出用データを受信する。データ受信部１４１は、データバッファ１２１からデータバッファ１２１の空き容量を取得し、受信したデータサイズからデータバッファ１２１に保存可能かどうか判断し、保存可能であればデータ解析部１４２に入力ストリームを出力する。保存できない場合は受信したデータを破棄する。なお、データ受信部１４１は外部の機器と通信によってデータの受信を行っており、データを受信した結果を外部の機器に対して通知する。
【００２３】
データ解析部１４２は、データ受信部１４１から入力された送出用データから、図２のように送出用データをデータ放送用サービスのデータストリームに変換するために必要な情報として、データ部２５１（セクションデータ形式のデータ）、伝送レート２５３、ＰＩＤ２５４（パケット識別子）を取得する。そして、データ部２５１とＰＩＤ２５４をデータ変換部１４３へ出力し、伝送レート２５３は多重化制御部１３１の要求によって多重化制御部１３１へ出力する。
【００２４】
データ変換部１４３は、データ解析部１４２で取得したデータ部２５１とＰＩＤ２５４からデータ受信部１４１が受信した送出用データをＴＳＰ形式のデータ放送用サービスのデータストリーム２５５に変換し、データバッファ１２１に保存させる。なお、この時データの変換は、図２のようにデータ解析部１４２が取得したデータ部２５１を複数のＴＳＰのペイロード部に分割して記述し（２５６−１〜２５６−５）、それぞれのＴＳＰのヘッダ部にデータ解析部１４２が取得したＰＩＤ２５４の設定を行っている。
【００２５】
データバッファ１２１は、データ変換部１４３から入力した送出用データＩＤ０をＴＳＰに変換したデータを蓄積する。そして、多重化制御部１３１の指示があると、多重化制御部１３１へ保存した送出用データを出力する。
【００２６】
ＮＵＬＬパケットバッファ１２２は、入力バッファ１１１−１〜１１１−３とデータバッファ１２１に送出可能なデータが存在しない場合に、多重化制御部１３１の指示に基づき、出力バッファ１１２に対して多重化装置の送出レートを一定の帯域に保つためのデータとして必要量を多重化制御部１３１へ転送する。
【００２７】
多重化制御部１３１は、周期的に入力バッファ１１１−１〜１１１−３とデータバッファ１２１とＮＵＬＬパケットバッファ１２２の各バッファ内のパケットを出力バッファ１１２へ転送する。このとき、多重化制御部１３１は、出力バッファ１１２から入手した出力バッファ１１２の空き容量とデータ解析部１４２から取得した伝送レート２５３と、多重化制御部１３１の処理周期から、データバッファ１２１のパケットを一度の処理でどれだけのデータを転送できるか算出して、データバッファ１２１からデータを入力する。なお、この時、データの転送可能量（ＴＳＰ数）の算出は、数式１のように行う。
【００２８】
【数１】
2007336029.tif 000003
出力バッファ１１２は、ＦＩＦＯ（Ｆｉｒｓｔ  Ｉｎ  Ｆｉｒｓｔ  Ｏｕｔ）型のバッファで、多重化制御部１３１から転送されたデータを出力バッファ１１２内に順番に蓄積し、一定の送出レートでＭＰＥＧ２−ＴＳ信号として変調器へ送出する。
【００２９】
この図１において、入力ストリームＩＳ１〜ＩＳ３は多重化制御部１３１からの制御により出力バッファ１２１にて多重され、送出用データＩＤ０はデータ受信部１４１で受信してデータ変換部１４３がデータストリームに変換した後、データ変換部１４３がデータバッファ１２１に登録する。データストリームは多重化制御部１３１によりデータバッファ１２１から出力バッファ１１２へ転送され多重される。多重化制御部１３１は出力バッファ１１２の状態を監視し、入力ストリームＩＳ１〜ＩＳ３と送出用データＩＤ０の多重を制御する。
【００３０】
図２は、本発明の実施の形態１における送出用データとデータストリームの説明図である。
【００３１】
送出用データＩＤ０は、データ部２５１と送出パラメータ部２５２から構成されている。データ部２５１はＭＰＥＧ２の伝送形態であるセクション形式のデータである。送出パラメータ部２５２は伝送レート２５３とデータ部２５１のデータをＭＰＥＧ２−ＴＳ信号に変換する際に用いるＰＩＤ（パケット識別子）２５４からなる。これらはデータ受信部１４１で受信した際には一塊のデータとして受信されるが、データ解析部１４２によって解析され、３つの異なるデータとして扱われるようになる。
【００３２】
また、データストリーム２５５は複数のＴＳＰの集合であり、データ変換部１４３により各ＴＳＰのヘッダにはＰＩＤ２５４が記述され、各ＴＳＰのペイロード部２５６−１〜２５６−５にはデータ部２５１が分割された状態で記述される。
【００３３】
データストリーム２５５はデータ放送用サービスのデータストリームであり、多重化制御部１３１によってデータバッファ１２１から出力バッファ１１２へ登録されることにより複数のＭＰＥＧ２−ＴＳ信号ＩＳ１〜ＩＳ３と多重され、多重化装置より送出される。
【００３４】
図３は、本発明の実施の形態１における多重化装置の入力ストリームの受信方法を示すフローチャートであり、入力ストリームＩＳ１〜ＩＳ３の内、入力ストリームＩＳ１を信号入出力部１１０で受信する場合の方法を説明している。
【００３５】
入力バッファ１１１−１が入力ストリームＩＳ１をＴＳＰ単位で受信する（Ｓ３０１）。入力バッファ１１１−１がデータを受信した際に入力バッファ１１１−１に空きがあるかを判断する（Ｓ３０２）。ステップＳ３０２で入力バッファ１１１−１に空きがある場合は、入力バッファ１１１−１が受信データであるＴＳＰを入力バッファ１１１−１に保存する（Ｓ３０３）。
【００３６】
ステップＳ３０２で入力バッファ１１１−１に空きがなかった場合は、受信したＴＳＰを入力バッファ１１１−１は入力バッファ１１１−１に保存できないので、入力バッファ１１１−１は受信したデータを破棄する。（Ｓ３０４）
以上の処理を周期的に実施することにより、多重化装置１００は、多重化装置１００に常時入力されている入力ストリームＩＳ１の受信処理を行う。
【００３７】
入力ストリームＩＳ２、入力ストリームＩＳ３についても、入力バッファ１１１−２、入力バッファ１１１−３が同様の受信処理を行う。
【００３８】
図４は、本発明の実施の形態１における送出用データＩＤ０の受信方法を示すフローチャートである。
【００３９】
データ受信部１４１が送出用データＩＤ０を受信する（Ｓ４０１）。
【００４０】
データ受信部１４１がデータバッファ１２１に十分な空きがあるか確認する（Ｓ４０２）。
【００４１】
つまり、受信した送出用データＩＤ０のデータ部１５１をＴＳＰへ変換したものがデータバッファ１２１に保存可能かどうか判断する。
【００４２】
ステップＳ４０２でデータバッファ１２１に十分な空きがある場合は、データ解析部１４２は受信した送出用データＩＤ０のＰＩＤ２５４からＴＳＰ化して送出する際の送出ＰＩＤを取得する（Ｓ４０３）。次に、データ解析部１４２は受信した送出用データＩＤ０の伝送レート２５３からＴＳＰ化して送出する際の送出帯域を取得する（Ｓ４０４）。データ解析部１４２はステップＳ４０４で取得した送出帯域を転送制御部１３１の処理周期を用いて一定時間あたりの送出ＴＳＰ数に換算する（Ｓ４０５）。データ解析部１４２は受信した送出用データＩＤ０からデータ部２５１を取得しデータ変換部１４３へ設定する。データ変換部１４３はデータ解析部１４２がステップＳ４０３で取得したＰＩＤ２５４を使用してデータ変換部１４２に設定されたデータ部２５１をＴＳＰに変換しデータストリーム２５５を作成する（Ｓ４０６）。データ変換部１４３はデータストリーム２５５をデータバッファ１２１に転送して保存する（Ｓ４０７）。
【００４３】
ステップＳ４０２でデータバッファ１２１に十分な空きがない場合は、受信した送出用データＩＤ０のデータ部２５１をＴＳＰ化した場合にデータバッファ１２１に保存できないので、受信した送出用データＩＤ０をデータバッファ１２１には転送せずに破棄する（Ｓ４０８）。
【００４４】
図５は、本発明の実施の形態１における多重化装置の多重化処理を示すフローチャートである。多重化処理は多重化制御部１３１が入力バッファ１１１−１〜入力バッファ１１１−３、データバッファ１２１の各バッファ内のＴＳＰ化されたデータを周期的に出力バッファ１１２に転送することによって行う。
【００４５】
多重化制御部１３１が出力バッファ１１２から空きバッファサイズの取得を行う（Ｓ５０１）。多重化制御部１３１が空きバッファサイズが１ＴＳＰ以上かの判定を行う（Ｓ５０２）。ステップＳ５０２で空きバッファサイズが１ＴＳＰ未満の場合、今回の処理を終了し、次の周期の処理に移るためステップＳ５０１に戻る。
【００４６】
ステップＳ５０２で空きバッファサイズが１ＴＳＰ以上の場合、多重化制御部１３１が入力バッファ１１１−１から入力バッファ１１１−３まで順に入力バッファを検索し、入力バッファ１１１−１〜１１１−３に未転送のデータがあるかどうかチェックする（Ｓ５０３）。検索は未転送のデータを初めて発見した時点で終了する。ステップＳ５０３で入力バッファに未転送のデータがある場合、発見した未転送のデータを出力バッファ１１２へ転送し、ステップＳ５０２へフローを移す（Ｓ５０４）。
【００４７】
ステップＳ５０３で入力バッファ１１１−１〜１１１−３に多重化制御部１３１が未転送のデータを発見できない場合、出力バッファ１１２の空きバッファサイズが図４のステップＳ４０５で取得したデータストリーム２５５の送出帯域より大きいかを確認する（Ｓ５０５）。ステップＳ５０５で空きバッファサイズが送出帯域より大きい場合、データバッファ１２１から多重化制御部１３１が図４のステップＳ４０５で取得したデータストリーム２５５の送出帯域の分だけ送出用データＴＳＰを出力バッファ１１２へ転送する（Ｓ５０６）。そして、多重化制御部１３１は出力バッファ１１２のデータストリーム２５５多重後の空きバッファサイズから必要なＮＵＬＬパケット数を計算し、ＮＵＬＬパケットバッファ１２２から必要なだけデータを出力バッファ１１２へ転送する（Ｓ５０７）。以上で今回の処理を終了し、次の周期の処理ステップＳ５０１に移る。
【００４８】
ステップＳ５０５で空きバッファサイズが送出帯域より大きくない場合、多重化制御部１３１がデータバッファ１２１から出力バッファ１１２の空きバッファサイズ分だけ出力バッファ１１２へデータ転送して今回の処理を終了する（Ｓ５０８）。
【００４９】
そして、次の周期の処理に移る（ステップＳ５０１）。
【００５０】
なお、多重化制御部１３１は、入力バッファ１１１−１〜１１１−３とデータバッファ１２１のデータを出力バッファ１１２へ転送する際の処理として、それぞれのバッファ内のデータに対するポインタを取得して、取得したポインタを出力バッファに設定し、ポインタを取得したバッファのポインタを次のデータに移動させる。このため、各バッファから出力バッファ１１２へデータを転送する際は、必ず現在転送した次のＴＳＰから処理を行うことができ、データバッファ１２１のように一度保存したデータを周期的に送出するような場合にはデータの送出帯域が確保できない場合でもデータが破棄されることはない。
【００５１】
以上説明した本発明の実施の形態１では、送出用データＩＤ０は時系列において必ずしも指定した送出レートで安定して送出されるわけではないが、最終的には１ＴＳＰも破棄することなく受信機に送出することが可能となる。また、図４のステップＳ４０２の場合のように送出用データＩＤ０が何らかの理由、例えばサイズが大きすぎる場合や既に多くの送出用データが設定されている場合などの場合で受信できなかった場合には、ユーザーに対して明示的に受信できなかったことを示し、ユーザーが意図したとおりに多重して送出できないことを明示的に示すことにより、その場で多重化装置に対する設定を変更する必要があることを促すことが出来る。
【００５２】
なお、上記の実施の形態１では送出用データＩＤ０は一つのデータストリームとしたが、データバッファ１２１のサイズが許す限り特に構成の変更無く複数の送出セクションを異なるＰＩＤと送出周期で送出することも可能である。
【００５３】
また、送出用データＩＤ０は複数のＭＰＥＧ２−ＴＳ信号ＩＳ１〜ＩＳ３とは非同期な内容のデータが受信可能であるので、一度データバッファ１２１にデータ部２５１のセクションデータをＴＳＰ化してデータストリーム２５５を保存した後は送出用データＩＤ０を送信する機器と接続しない状態でデータストリームを周期的に送出し続けることが可能である。
【００５４】
なお、本実施の形態では入力ストリームをＩＳ１、ＩＳ２、ＩＳ３と３本の入力ストリームとしたが、ｎ本の入力ストリームとしてもよい。その場合は、入力ストリームと入力バッファを１対１で対応させるべく、入力バッファをｎ個備えればよい。
【産業上の利用可能性】
【００５５】
従来の多重化装置は、特にＣＡＴＶなどのデジタル多チャンネル放送システムにおいてデータ放送を多重化するような用途で使用される。
【００５６】
本発明の多重化装置では、複数のＭＰＥＧ２−ＴＳ信号ＩＳ１〜ＩＳ３の合計帯域が多重化装置の送出するＭＰＥＧ２−ＴＳ信号ＯＳ０の送出帯域を超えた場合にもユーザーが放送サービスを使用する際に与える悪影響を最小限に止めることが可能となるため、特に送出用データＩＤ０が一定で、多重化装置に入力する複数のＭＰＥＧ２−ＴＳ信号ＩＳ１〜ＩＳ３が統計多重された信号である場合などに有用で、ＢＭＬを用いたＣＡＴＶのポータルサイトの構築などに使用する。
【００５７】
また、一度データバッファ１２１にデータを保存した後は送出用データＩＤ０を送信する機器と接続しない状態でデータストリームを周期的に送出し続けることが可能であるため、従来の高価なデータ放送用の送出機器の代わりに安価なＰＣを用いることが可能である。このため、放送事業者向けの自主放送システムなどを安価に構築する用途にも有用である。
【図面の簡単な説明】
【００５８】
【図１】本発明の実施の形態１における多重化装置のブロック図
【図２】本発明の実施の形態１における送出用データとデータストリームの説明図
【図３】本発明の実施の形態１における多重化装置の入力ストリームの受信方法を示すフローチャート
【図４】本発明の実施の形態１における多重化装置の送出用データの受信方法を示すフローチャート
【図５】本発明の実施の形態１における多重化装置の多重化処理を示すフローチャート
【図６】従来の多重化装置の一例を示すブロック図
【符号の説明】
【００５９】
１００    本発明の多重化装置
１１０    信号入出力部
１１１−１〜１１１−３    入力バッファ
１１２    出力バッファ
１２０    データ保存部
１２１    データバッファ
１２２    ＮＵＬＬパケットバッファ
１３０    制御部
１３１    多重化制御部
１４０    データ処理部
１４１    データ受信部
１４２    データ解析部
１４３    データ変換部
２５１    データ部
２５２    送出パラメータ部
２５３    伝送レート
２５４    ＰＩＤ
２５５    データストリーム
【図１】
2007336029.tif 000004
【図２】
2007336029.tif 000005
【図３】
2007336029.tif 000006
【図４】
2007336029.tif 000007
【図５】
2007336029.tif 000008
【図６】
2007336029.tif 000009